(57)【要約】【課題】  社会的問題を抱えるペットボトルの需要が拡大傾向にある今、ペットボトル飲料業界に課された社会的使命は、地球規模で取り組まれている環境保全や省エネルギー等に関わる課題解決に寄与するために、空容器の廃棄（リサイクルのための回収も含む）を抑制し得る具体的な対応策を打ち出し早急に実施することである、と考える。【解決手段】  そこで、スポーツ観戦時の応援グッズや公園などでの球戯用バット或いはコレクショングッズ等としての二次利用の促進に役立つペットボトル（主に飲料用）の構造を提供する。具体的には、専用グリップ４がペットボトル本体１の底部凹部２に収納され、多くのファンを持つ人気スポーツチームや人気キャラクター等を象徴するラベルが、商品ラベルに合わせてペットボトル本体１の胴部周壁に巻装され、携帯や保管のための紐５が専用グリップ４の空洞部に収納されている、というペットボトル（主に飲料用）の構造に関する提案である。【選択図】図１
0003124969.tif 000002
【実用新案登録請求の範囲】
【請求項１】
円柱型のペットボトルの底部中央部に、円筒型の専用グリップを収納するための円筒状の凹部を設けたことを特徴とする二次利用促進に役立つペットボトルの構造。
【請求項２】
その表側には縦方向のＶ字型溝と円周方向の４個の半球型突起と２個の円形孔を有し、その内側空洞部にはペットボトル本来のキャップと同じ雌ネジと補強壁とを有した円筒型の専用グリップを、ペットボトル本体の底部中央部に設けた円筒状の凹部に収納したことを特徴とする請求項１記載の二次利用促進に役立つペットボトルの構造。
【請求項３】
ペットボトル本体の胴部周壁に人気スポーツチームや人気キャラクター等を象徴する内容を印刷したラベルを巻装し、その表側に重ねて、同サイズで剥がし易い加工を施した商品ラベルを巻装したことを特徴とする請求項２記載の二次利用促進に役立つペットボトルの構造。
【考案の詳細な説明】
【考案の詳細な説明】
【技術分野】
【０００１】  本考案は、空になったペットボトル容器（主に飲料用）をスポーツ観戦時の応援グッズや公園などでの球戯用バット、或いはコレクショングッズ等として誰もが安全に且つ容易に二次利用できるように工夫したペットボトル専用グリップの構造と、この専用グリップをペットボトルの外観を変えずに収納できるペットボトルの構造、更には、その二次利用をより促進させるために工夫した巻装ラベルの構造に関するものである。
【背景技術】
【０００２】  従来、企業間競争がますます激化するペットボトル飲料業界にあって各社は、販売促進や他社との差別化を図るために、飲料そのものの研究開発のみならず、ペットボトルの外観デザインの開発やボトル自体の軽量化等によるコストダウンを目指した技術開発等を推し進めてきた。と同時に、拡大傾向にある需要に対しては、空容器の回収率向上等ペットボトル再資源化促進のための課題解決に取り組んできた。しかし、空容器の廃棄（リサイクルのための回収も含む）を抑制できる二次利用に関しては消費者側の対応に任せるのみで、ペットボトルの二次利用促進を念頭に置いた商品開発は置き去りにされてきた。
【考案の開示】
【考案が解決しようとする課題】
【０００３】  今や、ペットボトル容器（主に飲料用）のリサイクル率の向上に取り組むだけでなく、多少のリスクを背負ってでも、二次利用促進に役立つペットボトルの開発に早急に取り組み、コストがかかるだけでなく多大なエネルギーの投入を必要とするペットボトル再資源化の軽減や廃棄処分による公害発生の防止を図る等、地球規模で取り組まれている環境保全や省エネルギー等の問題解決に積極的に参画することこそ、ペットボトル関連業界に課された重大な社会的使命と考える。【０００４】  そこで、本考案は、従来のペットボトル商品に容器の二次利用促進に効果的な要素を組み入れ、環境保全・省エネルギー等の社会的問題解決に役立てることができる付加価値の高いペットボトル商品を開発すべく案出されたものである。具体的には、多くのファンを持つ人気スポーツチームや人気キャラクター等を象徴したラベルを巻装することと、応援グッズや球戯用バット、或いはコレクショングッズ等として安全に、且つ利用し易くするための機能をもった専用グリップをペットボトル本体に収納することである。
【課題を解決するための手段】
【０００５】  請求項１記載の二次利用促進に役立つペットボトルの構造にあっては、円柱型のペットボトル本体１の底部中央部に、円筒型の専用グリップ４を収納するための円筒状の凹部２を設ける手段を採用した。尚、球戯用バットとして二次利用する際の球（ピンポン球状の軽量のもの）を専用グリップ４と合わせて収納することも可能である。【０００６】  請求項２記載の二次利用促進に役立つペットボトルの構造にあっては、ペットボトル本体１の底部中央部の凹部２に収納できる、後述のような特徴を持った円筒型の専用グリップ４を成形する手段を採用した。その特徴とは、片方の内側にペットボトル本来のキャップ３と同型の雌ネジ９と補強壁８を有し、また、表側にはＶ字型溝６と円形孔１０（２個所）と半球型突起７（４個所）を有し、更に、雌ネジ９と反対側の空洞部には紐５を収納している、というものである。【０００７】  請求項３記載の二次利用促進に役立つペットボトルの構造にあっては、ペットボトル本体１の胴部周壁に人気スポーツチームや人気キャラクター等を象徴する内容を印刷したラベルを巻装した後に、その表側に重ねて同サイズの商品ラベルを巻装する手段を採用した。尚、表側に巻装した商品ラベルには、その上部と下部にペットボトル本体１の胴部円周に沿った帯環状の透明部が設けられ、また、最上部に切り込みが入った平行する２本のミシン目１１が垂直に下端まで加工されているものとする。
【考案の効果】
【０００８】  請求項１記載の二次利用促進に役立つペットボトルの構造によれば、ペットボトル本体１の外観を変えずに専用グリップ４を収納することができるため、店頭或いは自動販売機での販売時に何ら支障のないものとなる。また、ペットボトル本体１が円柱型であることと、専用グリップ４を収納する凹部２が円筒状で、しかもペットボトル本体１の縦中心軸上の底部に位置していることにより、全体として、平均した強度を持った安定性のあるペットボトルとなる。【０００９】  請求項２記載の二次利用促進に役立つペットボトルの構造によれば、一端の内側に設けたキャップ３と同型の雌ネジ９によりペットボトル本体１に容易にしっかりと装着でき、空洞部中間に補強壁８を配した円筒型とすることにより十分な強度を持ち、表面に設けたＶ字型溝６により握り易く、また４個の半球型突起７によりボトル底部の凹部２内に停留することができる専用グリップ４を有し、バット状のグッズとして安全に且つ容易に二次利用できるペットボトルとなる。更に、補強壁８を境に雌ネジ９と反対側の空洞部に収納した紐５を２個の円形孔１０に通して環状に取り付けることにより、二次利用として使用する際の携帯や保管に便利なペットボトルとなる。【００１０】  請求項３記載の二次利用促進に役立つペットボトルの構造によれば、ペットボトル本体１の胴部周壁に、商品ラベルに合わせて人気スポーツチームや人気キャラクター等を象徴する内容を印刷したラベルを巻装することにより、幅広い層による大きな需要が見込め、二次利用促進に大いに役立つものとなる。【００１１】  以上、二次利用を促進させるペットボトルの新しい構造に関わる本考案は、ペットボトルの再資源化の軽減に大きく寄与することができ、強いては環境保全や省エネルギー対策の一役を担うことができると確信する。と同時に、ペットボトル関連産業の更なる発展にも役立つものと確信している。
【考案を実施するための最良の形態】
【００１２】  以下、本考案を図示例に基づいて説明すると、次の通りである。
本考案のペットボトル（主に飲料用）の構造は、その外観や強度を殆んど変えることなく二次利用に役立つ専用グリップ４をペットボトル本体１に収納し、二次利用促進に効果的なラベルに重ねて商品ラベルをペットボトル本体１の胴部周壁に巻装したものである。【００１３】  具体的には、円柱型で適宜寸法のペットボトル本体１の底部中央部に円筒型の専用グリップ４を収納できる適宜寸法の円筒状の凹部２（先端は半球状）が設けられている。【００１４】  また、円筒型で適宜寸法の専用グリップ４の表面には、握り易くするために全円周に沿って縦方向で適宜寸法の細かなＶ字型溝６が、凹部２からの落下を防止するために円周方向に等間隔で４個所の適宜寸法の半球型突起７が、更に、紐５を取り付けるためにＶ字型溝６側の端部に円周方向に等間隔で２個所の適宜寸法の円形孔１０が設けられている。一方、専用グリップ４の内側の空洞部には、半球型突起７側にキャップ３と同型の雌ネジ９と補強壁８が設けられ、Ｖ字型溝６側に適宜寸法の紐５が収納されている。【００１５】  更に、ペットボトル本体１の胴部周壁には、人気スポーツチームや人気キャラクター等を象徴する内容を印刷した適宜寸法のラベルが帯環状に巻装され、そのラベルに重ねて、商品に関する内容を印刷した適宜寸法のラベルが帯環状に巻装されている。尚、下側に巻装された人気スポーツチームや人気キャラクター等を象徴したラベルには１本のミシン目が、表側の商品ラベルにはより破断し易いように最上部に切り込みを入れた２本のミシン目１１が適宜間隔で平行に、それぞれ上端から下端まで垂直に適宜位置に加工されている。また、購入者が下側に隠れているラベルに象徴されているスポーツチームやキャラクター等の名称やマーク等を視認することができるように、表側に重ねて巻装された商品ラベルには、その上部と下部の適宜位置に適宜寸法の帯環状の透明部が設けられている。勿論、下側のラベルには、この透明部を通してスポーツチームやキャラクター等の名称やマーク等が視認できるようなデザイン構成がなされているものとする。
【産業上の利用可能性】
【図面の簡単な説明】
【００１６】
【図１】本考案の構造を例示する斜視図である。
【図２】本考案の構造を例示する中心軸縦断面図である。
【図３】本考案の実施例を示す透視図である。
【符号の説明】
【００１７】  １  ペットボトル本体
２  円筒状の凹部
３  キャップ
４  専用グリップ
５  紐
６  Ｖ字型溝
７  半球型突起
８  補強壁
９  雌ネジ
１０  円形孔
１１  ミシン目
【図１】
0003124969.tif 000003
【図２】
0003124969.tif 000004
【図３】
0003124969.tif 000005